(57)【要約】【課題】二次電池の高容量化【解決手段】  二次電池は、複数の正極シートと複数の負極シートが重ねられた積層型の電極体を備えている。集電端子２２，２４の集電板部２２ｂ，２４ｂは、それぞれ正極シートの露出部２０ａ３および負極シートの露出部２０ｂ３に直交する面に沿って延びている。基板部２２ａ，２４ａは、それぞれ集電板部２２ｂ，２４ｂから連続し、電極体２０の露出部２０ａ３，２０ｂ３がはみ出た一辺と直交する一辺に沿って延びている。集電板部２２ｂ，２４ｂには、集電板部２２ｂ，２４ｂの先端から基板部２２ａ，２４ａに対して直交する方向に沿ってＲ部２２ｄ，２４ｄに至るように形成された複数のスリット２２ｃ，２４ｃがそれぞれ形成されている。露出部２０ａ３，２０ｂ３は、集電端子２２，２４のスリット２２ｃ，２４ｃ内に挿入されている。【選択図】  図１
2018190547.tif 000002
【特許請求の範囲】
【請求項１】
複数の正極シートと、
複数の負極シートと、
正極集電端子と、
負極集電端子と
を備え、
前記正極シートは、
矩形の正極集電箔と、
前記矩形の正極集電箔に一辺に沿って設定された露出部を除いて前記正極集電箔に設けられた正極活物質層と
を有し、
前記負極シートは、
矩形の負極集電箔と、
前記矩形の負極集電箔に一辺に沿って設定された露出部を除いて前記負極集電箔に設けられた負極活物質層と
を有し、
前記正極活物質層と前記負極活物質層とは、
厚さ方向においてセパレータを介在させて交互に重ね合わされ、
前記複数の正極シートの前記露出部は、
前記セパレータの幅方向の片側にはみ出ており、
前記複数の負極シートの前記露出部は、
前記複数の正極シートの前記露出部とは反対側において、前記セパレータからはみ出ており、
前記正極集電端子は、
前記複数の正極シートの露出部に直交する面に沿って延びた第１集電板部と、
前記第１集電板部から曲って連続し、前記複数の正極シートの露出部が設けられた一辺と直交する一辺に沿って延びた第１基板部と、
前記第１集電板部の先端から前記第１基板部に対して直交する方向に沿って形成され、かつ、それぞれ前記第１基板部と前記第１集電板部との間のＲ部に至った複数のスリットと
を備え、
前記負極集電端子は、
前記複数の負極シートの露出部に直交する方向に沿って延びた第２集電板部と、
前記第２集電板部から曲って連続し、前記複数の負極シートの露出部が設けられた一辺と直交する一辺に沿って延びた第２基板部と、
前記第２集電板部の先端から前記第２基板部に対して直交する方向に沿って形成され、かつ、それぞれ前記第２基板部と前記第２集電板部との間のＲ部に至った複数のスリットと
を備え、
前記複数の正極シートの露出部は、前記正極集電端子の前記スリット内に挿入されており、
前記複数の負極シートの露出部は、前記負極集電端子の前記スリット内に挿入されている、
二次電池。
【請求項２】
前記第１集電板部の複数のスリットは、それぞれ前記第１基板部に至っており、
前記第２集電板部の複数のスリットは、それぞれ前記第２基板部に至っている、
請求項１に記載された二次電池。
【請求項３】
前記第１集電板部の前記複数のスリットは、それぞれ前記第１集電板部の先端部において先端側ほどスリットの幅が広くなっており、
前記第２集電板部の前記複数のスリットは、それぞれ前記第２集電板部の先端部において先端側ほどスリットの幅が広くなっている、請求項１または２に記載された二次電池。
【請求項４】
前記第１集電板部と前記第２集電板部とは、平板状である、請求項１から３までの何れか一項に記載された二次電池。
【請求項５】
基板部と、
前記基板部から曲って連続し、前記基板部に対して直交する方向に沿って延びた集電板部と、
前記集電板部の先端から前記基板部に対して直交する方向に沿って形成され、かつ、それぞれ前記基板部と前記集電板部との間のＲ部に至った複数のスリットと
を備えた、集電端子。
【請求項６】
前記複数のスリットは、それぞれ前記基板部まで至っている、請求項５に記載された集電端子。
【請求項７】
前記複数のスリットは、それぞれ前記集電板部の先端部において先端側ほどスリットの幅が広くなっている、請求項５または６に記載された集電端子。
【請求項８】
前記集電板部は、平板状である、請求項５から７までの何れか一項に記載された集電端子。
【発明の詳細な説明】
【技術分野】
【０００１】
本発明は、二次電池および集電端子に関する。
【背景技術】
【０００２】
特開２０１４−１８２８８０号公報では、いわゆる積層型の電極体を備えた二次電池が開示されている。ここで、積層型の電極体では、複数の正極シートと複数の負極シートがセパレータを介在させつつ、交互に積層されている。正極シートと負極シートとは、捲回されていない。同公報に開示された二次電池では、正極および負極は、それぞれ複数枚のタブと呼ばれる金属箔の部分を有し、当該複数枚のタブに正極端子と負極端子が取り付けられた構造が開示されている。
【先行技術文献】
【特許文献】
【０００３】
【特許文献１】特開２０１４−１８２８８０号公報
【発明の概要】
【発明が解決しようとする課題】
【０００４】
ところで、正極シートには、正極活物質を含む正極活物質層が形成されている。負極シートには、負極活物質を含む負極活物質層が形成されている。電池ケース内では、正極活物質層と負極活物質層が対向する面積が多いほど、電池反応に寄与する領域が大きくなる。この点を考慮すると、電池ケース内で集電端子を配置するために必要なスペースが小さい方が、電池ケース内の有効面積が広くなる。本願では、特に正極シートと負極シートがセパレータを介在させつつ、交互に積層され、かつ、捲回されていない形態である、いわゆる積層型の電極体を対象としている。ここでは、積層型の電極体を備えた二次電池について、容量またはエネルギー密度を向上させうる、集電端子の構造および当該集電端子が用いられた二次電池について新規な構造を提案する。
【課題を解決するための手段】
【０００５】
ここで提案される二次電池は、複数の正極シートと、複数の負極シートと、正極集電端子と、負極集電端子とを備えている。
正極シートは、矩形の正極集電箔と、矩形の正極集電箔に一辺に沿って設定された露出部を除いて正極集電箔に設けられた正極活物質層とを有している。
負極シートは、矩形の負極集電箔と、矩形の負極集電箔に一辺に沿って設定された露出部を除いて負極集電箔に設けられた負極活物質層とを有している。
正極活物質層と負極活物質層とは、厚さ方向においてセパレータを介在させて交互に重ね合わされている。複数の正極シートの露出部は、セパレータの幅方向の片側にはみ出ており、複数の負極シートの前記露出部は、複数の正極シートの露出部とは反対側において、セパレータからはみ出ている。
【０００６】
正極集電端子は、複数の正極シートの露出部に直交する面に沿って延びた第１集電板部と、第１集電板部から曲って連続し、複数の正極シートの露出部が設けられた一辺と直交する一辺に沿って延びた第１基板部と、第１集電板部の先端から第１基板部に対して直交する方向に沿って形成され、かつ、それぞれ第１基板部と第１集電板部との間のＲ部に至った複数のスリットとを備えている。
負極集電端子は、複数の負極シートの露出部に直交する方向に沿って延びた第２集電板部と、第２集電板部から曲って連続し、複数の負極シートの露出部が設けられた一辺と直交する一辺に沿って延びた第２基板部と、第２集電板部の先端から第２基板部に対して直交する方向に沿って形成され、かつ、それぞれ第２基板部と第２集電板部との間のＲ部に至った複数のスリットとを備えている。
複数の正極シートの露出部は、正極集電端子のスリット内に挿入されている。複数の負極シートの露出部は、負極集電端子の前記スリット内に挿入されている。
【０００７】
二次電池は、正極集電端子と負極集電端子を配置するスペースの省スペース化が図られる。そして、正極活物質層と負極活物質層とが、厚さ方向においてセパレータを介在させて交互に重ね合わされている部分の面積が広く確保される。このため電池容量を大きくできる。つまり、二次電池の高容量化が図られる。
【０００８】
かかる二次電池の一実施形態では、第１集電板部の複数のスリットは、それぞれ第１基板部に至っていてもよい。また、第２集電板部の複数のスリットは、それぞれ第２基板部に至っていてもよい。
また、第１集電板部の複数のスリットは、それぞれ第１集電板部の先端部において先端側ほどスリットの幅が広くなっていてもよい。また、第２集電板部の複数のスリットは、それぞれ第２集電板部の先端部において先端側ほどスリットの幅が広くなっていてもよい。
また、第１集電板部と第２集電板部とは、それぞれ平板状であってもよい。
【０００９】
ここで提案される集電体は、基板部と、基板部から曲って連続し、基板部に対して直交する方向に沿って延びた集電板部と、集電板部の先端から基板部に対して直交する方向に沿って形成され、かつ、それぞれ基板部と集電板部との間のＲ部に至った複数のスリットとを備えている。
【００１０】
複数のスリットは、それぞれ基板部まで至っていてもよい。また、複数のスリットは、それぞれ集電板部の先端部において先端側ほどスリットの幅が広くなっていてもよい。また、集電板部は、平板状であってもよい。
【図面の簡単な説明】
【００１１】
【図１】図１は、ここで提案される二次電池１０の電極体２０を示す斜視図である。
【図２】図２は、電極体の構造を示す分解図である。
【図３】図３は、正極集電端子２２を示す斜視図である。
【図４】図４は、電極体２０に取り付けられた正極集電端子２２と負極集電端子２４とを図示した正面図である。
【発明を実施するための形態】
【００１２】
以下、ここで提案される二次電池および集電端子の一実施形態を説明する。ここで説明される実施形態は、当然ながら特に本発明を限定することを意図したものではない。本発明は、特に言及されない限りにおいて、ここで説明される実施形態に限定されない。
【００１３】
図１は、ここで提案される二次電池１０の電極体２０を示す斜視図である。図２は、電極体の構造を示す分解図である。図１に示す形態では、電極体２０には、正極集電端子２２と負極集電端子２４が取り付けられている。電極体２０は、正極集電端子２２と、負極集電端子２４とを通じて、電池ケース３０の蓋３２に取り付けられている。また、図１では、電池ケース３０のケース本体３４は、仮想線としての二点鎖線で示されている。電池ケース３０は、いわゆる角型のケースであり、ケース本体３４は、一面が開口した有底の直方体形状を有している。蓋３２に取り付けられた電極体２０は、電解質などとともに、ケース本体３４に収容される。電解質には、例えば、有機溶媒にリチウム塩が溶解した電解液が用いられる。電解液には、例えば、エチレンカーボネート（ＥＣ）、ジメチルカーボネート（ＤＭＣ）、エチルメチルカーボネート（ＥＭＣ）などの非水溶媒の混合溶媒にＬｉＰＦ６のような電解質を含有させた非水電解液などが挙げられる。
【００１４】
電極体２０は、図２に示すように、複数の正極シート２０ａと、複数の負極シート２０ｂとが、セパレータ２０ｃを介して交互に重ね合わされている。電極体２０は、捲回されておらず、いわゆる積層型の電極体である。セパレータは、例えば、所要の耐熱性を有する電解質が通過しうる多孔質の樹脂シートである。図２では、正極シート２０ａと、負極シート２０ｂと、セパレータ２０ｃは、位置をずらした状態で図示されている。また、図２では、２枚の正極シート２０ａと２枚の負極シート２０ｂとが、セパレータ２０ｃを介して重ね合わされる状態が示されている。電極体２０はより多くの枚数の正極シート２０ａと負極シート２０ｂとが、セパレータ２０ｃを介して重ね合わされている。
【００１５】
正極シート２０ａは、正極集電箔２０ａ１と、正極活物質層２０ａ２とを有している。正極集電箔２０ａ１は、矩形のシートである。矩形の正極集電箔２０ａ１には、一辺に沿って露出部２０ａ３が設定されている。正極活物質層２０ａ２は、露出部２０ａ３を除いて正極集電箔２０ａ１に設けられている。この実施形態では、正極集電箔２０ａ１は、アルミ箔である。正極活物質層２０ａ２には、正極活物質が含まれている。正極活物質は、例えば、リチウムイオン二次電池では、リチウム遷移金属複合材料のように、充電時にリチウムイオンを放出し、放電時にリチウムイオンを吸収しうる材料である。正極活物質は、リチウム遷移金属複合材料以外にも種々提案されており、特に限定されない。
【００１６】
負極シート２０ｂは、負極集電箔２０ｂ１と、負極活物質層２０ｂ２とを有している。負極集電箔２０ｂ１は、矩形のシートである。矩形の負極集電箔２０ｂ１には、一辺に沿って露出部２０ｂ３が設定されている。負極活物質層２０ｂ２は、露出部２０ｂ３を除いて負極集電箔２０ｂ１に設けられている。この実施形態では、負極集電箔２０ｂ１は、銅箔である。負極活物質層２０ｂ２には、負極活物質が含まれている。負極活物質は、例えば、リチウムイオン二次電池では、天然黒鉛のように、充電時にリチウムイオンを吸蔵し、充電時に吸蔵したリチウムイオンを放電時に放出しうる材料である。負極活物質は、天然黒鉛以外にも種々提案されており、特に限定されない。
【００１７】
正極集電箔２０ａ１および負極集電箔２０ｂ１の厚さは、例えば、８μｍ〜２０μｍ程度である。この実施形態では、正極活物質層２０ａ２および負極活物質層２０ｂ２の厚さは、正極集電箔２０ａ１または負極集電箔２０ｂ１の両面を合せて、例えば、２０μｍ〜２００μｍ程度とするとよい。
【００１８】
正極活物質層２０ａ２と負極活物質層２０ｂ２とは、厚さ方向においてセパレータ２０ｃを介在させて交互に重ね合わされている。ここで、負極活物質層２０ｂ２の幅ｂ１は、正極活物質層２０ａ２の幅ａ１よりも広く、セパレータ２０ｃの幅ｃ１は、負極活物質層２０ｂ２の幅ｂ１よりも広い。正極活物質層２０ａ２は、負極活物質層２０ｂ２によって覆われるように重ねられている。さらに正極活物質層２０ａ２および負極活物質層２０ｂ２は、セパレータ２０ｃによって覆われるように重ねられている。
【００１９】
複数の正極シート２０ａの露出部２０ａ３（正極集電箔２０ａ１に正極活物質層２０ａ２が形成されていない部位）は、セパレータ２０ｃの幅方向の片側において、それぞれはみ出ている。複数の負極シート２０ｂの露出部２０ｂ３は、複数の正極シート２０ａの露出部２０ａ３とは反対側において、セパレータ２０ｃから、それぞれはみ出ている。
【００２０】
正極活物質層２０ａ２と負極活物質層２０ｂ２とが重ね合わされた部位からはみ出た、複数の正極シート２０ａの露出部２０ａ３は、正極集電端子２２に溶接されている。複数の正極シート２０ａの露出部２０ａ３とは、反対側において、複数の負極シート２０ｂの露出部２０ｂ３は、負極集電端子２４に溶接されている。正極集電端子２２と負極集電端子２４は、大凡同じ構造である。図３は、正極集電端子２２を示す斜視図である。
【００２１】
正極集電端子２２は、図３に示すように、基板部２２ａと、集電板部２２ｂとを備えている。この実施形態では、基板部２２ａは、平板状の部位であり、電池ケース３０の蓋３２の外側に延びる突起２２ａ１が設けられている。この実施形態では、突起２２ａ１は、例えば、バスバーの端子に取り付けられる外部端子２３に接続される部位である。集電板部２２ｂは、基板部２２ａから曲って連続し、基板部２２ａに対して直交する方向に沿って延びている。この実施形態では、集電板部２２ｂは、平板状である。集電板部２２ｂには、集電板部２２ｂの先端から基板部２２ａに対して直交する方向に沿って形成され、かつ、それぞれ基板部２２ａと集電板部２２ｂとの間のＲ部２２ｄに至った複数のスリット２２ｃが形成されている。スリット２２ｃの本数は、図３に示す例では、３本である。スリット２２ｃの本数は、この実施形態に限定されず、２本以上形成されているとよい。ここで、正極集電端子２２の基板部２２ａは、適宜に第１基板部と称される。正極集電端子２２の集電板部２２ｂは、適宜に第２集電板部と称される。
【００２２】
複数のスリット２２ｃは、それぞれ集電板部２２ｂの先端部において先端側ほどスリット２２ｃの幅（隙間）が広くなっている。この実施形態では、スリット２２ｃの先端は、徐々に拡がっている。例えば、集電板部２２ｂの先端部において、スリット２２ｃの両側の縁は４５°以上７０°以下程度の角度αで拡がっているとよい。
【００２３】
この実施形態では、基板部２２ａと集電板部２２ｂとの間は、Ｒを付けて折り曲げられている。複数のスリット２２ｃは、それぞれ基板部２２ａと集電板部２２ｂとの間の、かかるＲ部２２ｄに至るまで連続して形成されている。さらに、この実施形態では、複数のスリット２２ｃは、それぞれ基板部２２ａまで至っている。
【００２４】
この二次電池１０では、図１に示すように、正極シート２０ａの露出部２０ａ３は、３つの束に束ねられ、それぞれ正極集電端子２２の集電板部２２ｂに形成されたスリット２２ｃに装着される。具体的には、正極シート２０ａと負極シート２０ｂとが重ねられた電極体２０の幅方向の片側において、セパレータ２０ｃからはみ出た正極シート２０ａの露出部２０ａ３に対して、上方から正極集電端子２２は集電板部２２ｂの先端を近づけていく。そして、正極シート２０ａの露出部２０ａ３は、集電板部２２ｂに形成された複数（この実施形態では、３本）のスリット２２ｃに対してそれぞれ束ねられつつ、スリット２２ｃの先端の拡がった部分に沿って、スリット２２ｃ内に挿入される。
【００２５】
集電板部２２ｂに形成された複数のスリット２２ｃに対してスムーズに露出部２０ａ３が束ねられるように、例えば、正極シート２０ａを重ねる際に適当な位置にシートを挟んでおくと良い。当該シートによって、予め定められた枚数の露出部２０ａ３を束ねつつスリット２２ｃに案内し、スリット２２ｃに挿入するとよい。図１に示すように、スリット２２ｃに露出部２０ａ３が装着された後、露出部２０ａ３を案内するために用いられたシートは抜き取るとよい。また、正極集電端子２２のスリット２２ｃを露出部２０ａ３に向けて案内する前に、設備に設けられた把持ハンドなどによって、露出部２０ａ３を適当な束に纏めて保持しておいてもよい。
【００２６】
次に、図１に示すように、スリット２２ｃに対して露出部２０ａ３が装着された後は、集電板部２２ｂの両側縁２２ｂ１を挟むようにプレスし、スリット２２ｃに装着された露出部２０ａ３を挟む。これによって、スリット２２ｃと露出部２０ａ３との隙間を無くす。この状態で、スリット２２ｃおよびスリット２２ｃに挟まれた露出部２０ａ３にレーザーＬを当てて、正極シート２０ａの露出部２０ａ３と集電板部２２ｂとをレーザー溶接する。これによって、正極シート２０ａと正極集電端子２２とが溶接されている。
【００２７】
負極集電端子２４は、正極集電端子２２と同様の構造を備えており、基板部２４ａと集電板部２４ｂを備えている。集電板部２４ｂは、基板部２４ａから連続し、基板部２４ａに対して直交する方向に沿って延びている。この実施形態では、基板部２４ａには、電池ケース３０の外に突出する突起２４ａ１が設けられている。突起２４ａ１は外部端子２５に接続される部位である。
【００２８】
この実施形態では、集電板部２４ｂは、平板状である。そして、図示は省略するが、集電板部２４ｂには、集電板部２４ｂの先端から基板部２４ａに対して直交する方向に沿って形成され、かつ、それぞれ基板部２４ａと集電板部２４ｂとの間のＲ部２４ｄに至った数のスリット２４ｃが形成されている。負極シート２０ｂの露出部２０ｂ３は、集電板部２４ｂに形成されたスリット２４ｃに対して、それぞれ束ねられて装着されている。露出部２０ｂ３は、スリット２４ｃに挟まれた状態でレーザー溶接されて、負極集電端子２４に接続されている。これによって、負極シート２０ｂと負極集電端子２４とが溶接されている。ここで、負極集電端子２４の基板部２４ａは、適宜に第２基板部と称される。負極集電端子２４の集電板部２４ｂは、適宜に第２集電板部と称される。
【００２９】
ここで集電端子２２，２４は、例えば、金属製の板材を、プレス加工によって、基板部２２ａ，２４ａおよび集電板部２２ｂ，２４ｂに応じた所定形状に打ち抜き、複数のスリット２２ｃ，２４ｃに応じたスリットを形成し、その後、折り曲げて形成するとよい。正極集電端子２２および負極集電端子２４は、それぞれ電池反応中の所要の電位に耐えうる材料が選択されるとよい。正極集電端子２２は、例えば、アルミニウムまたはアルミ合金製であるとよい。負極集電端子２４は、例えば、銅または銅合金製であるとよい。
【００３０】
正極集電端子２２の集電板部２２ｂは、複数の正極シート２０ａの露出部２０ａ３に直交する面に沿って延びている。基板部２２ａは、集電板部２２ｂから曲って連続し、電極体２０の正極シート２０ａの露出部２０ａ３がはみ出た一辺と直交する一辺に沿って延びている。集電板部２２ｂには、集電板部２２ｂの先端から基板部２２ａに対して直交する方向に沿って形成され、かつ、それぞれ基板部２２ａと集電板部２２ｂとの間のＲ部２２ｄに至った複数のスリット２２ｃが形成されている。そして、複数の正極シート２０ａの露出部２０ａ３は、正極集電端子２２のスリット２２ｃ内に挿入されている。
【００３１】
同様に、負極集電端子２４の集電板部２４ｂは、複数の負極シート２０ｂの露出部２０ｂ３に直交する面に沿って延びている。基板部２４ａは、集電板部２４ｂから曲って連続し、電極体２０の負極シート２０ｂの露出部２０ｂ３がはみ出た一辺と直交する一辺に沿って延びている。集電板部２４ｂには、集電板部２４ｂの先端から基板部２４ａに対して直交する方向に沿って形成され、かつ、それぞれ基板部２４ａと集電板部２４ｂとの間のＲ部２４ｄに至った複数のスリット２４ｃが形成されている。そして、複数の負極シート２０ｂの露出部２０ｂ３は、負極集電端子２４のスリット２４ｃ内に挿入されている。
【００３２】
図４は、電極体２０に取り付けられた正極集電端子２２と負極集電端子２４とを図示した正面図である。図４において、電池ケース３０は二点鎖線で示されている。この二次電池１０によれば、正極集電端子２２および負極集電端子２４は、それぞれ板状の基板部２２ａ，２４ａと集電板部２２ｂ，２４ｂとで構成されている。そして、基板部２２ａ，２４ａと集電板部２２ｂ，２４ｂとは、概ね直角に折れ曲っており、電極体２０の角部に沿って配置されている。このため、正極集電端子２２と負極集電端子２４とが配置される領域の省スペース化が図られている。
【００３３】
これによって、電極体２０、正極集電端子２２および負極集電端子２４は、ガスケットや絶縁フィルムを介在させて電池ケース内に配置される。電池ケース３０の中で、正極集電端子２２と負極集電端子２４をコンパクトに配置できるので、電極体２０を大きくできる。特に、正極活物質層２０ａ２と負極活物質層２０ｂ２とが重なる面積を広くできる。つまり、電池反応に寄与する正極活物質層２０ａ２と負極活物質層２０ｂ２との有効面積を広く確保できる。これによって、同体積の二次電池であれば、二次電池の電池容量を大きくできる。つまり、二次電池の高容量化、エネルギーの高密度化が図られる。
【００３４】
この実施形態では、正極集電端子２２および負極集電端子２４の集電板部２２ｂ，２４ｂに形成された複数のスリット２２ｃ，２４ｃは、それぞれ集電板部２２ｂ，２４ｂの先端部において先端側ほどスリット２２ｃ，２４ｃの幅が広くなっている。この正極集電端子２２と負極集電端子２４は、上述のように、電極体２０の上方から集電板部２２ｂ，２４ｂを近づけ、正極シート２０ａの露出部２０ａ３と負極シート２０ｂの露出部２０ｂ３をスリット２２ｃ，２４ｃにそれぞれ挿入することができる。ここで、電極体２０の上方は、換言すると、電極体２０に基板部２２ａ，２４ａが対向するように配置される側である。
【００３５】
正極シート２０ａの露出部２０ａ３や負極シート２０ｂの露出部２０ｂ３は、薄いシートの束であり、シートの長さ方向（セパレータ２０ｃからはみ出た方向）に押されると曲がりやすい。これに対して、正極シート２０ａの露出部２０ａ３と負極シート２０ｂの露出部２０ｂ３は、シートの長さ方向とは直交する側の縁から、正極集電端子２２および負極集電端子２４のスリットに挿入される。このため、挿入される際に曲がりにくい。さらに、この実施形態では、スリット２２ｃ，２４ｃは、それぞれ集電板部２２ｂ，２４ｂの先端部において先端側ほどスリット２２ｃ，２４ｃの幅が広くなっているので、正極シート２０ａの露出部２０ａ３と負極シート２０ｂの露出部２０ｂ３が挿入される際の取り扱いが容易である。
【００３６】
また、この実施形態では、集電板部２２ｂ，２４ｂは、それぞれ平板状である。このため、スリット２２ｃ，２４ｃが挿入される方向に対して直線上であり、正極シート２０ａの露出部２０ａ３と負極シート２０ｂの露出部２０ｂ３がスムーズに挿入されやすい。
【００３７】
また、この実施形態では、正極集電端子２２および負極集電端子２４の基板部２２ａ，２４ａと集電板部２２ｂ，２４ｂとは曲って連続している。集電板部２２ｂ，２４ｂに形成された複数のスリット２２ｃ，２４ｃは、それぞれ基板部２２ａ，２４ａと集電板部２２ｂ，２４ｂとの間のＲ部２２ｄ，２４ｄに至っている。上述のように、正極シート２０ａの露出部２０ａ３と負極シート２０ｂの露出部２０ｂ３は、集電板部２２ｂ，２４ｂに形成された複数のスリット２２ｃ，２４ｃにそれぞれ挿入される。その後、集電板部２２ｂ，２４ｂの両側縁２２ｂ１，２４ｂ１を挟むようにプレスし、スリット２２ｃ，２４ｃに装着された露出部２０ａ３，２０ｂ３が、スリット２２ｃ，２４ｃの両側の縁にそれぞれ挟まれる。
【００３８】
この際、複数のスリット２２ｃ，２４ｃは、それぞれ基板部２２ａ，２４ａと集電板部２２ｂ，２４ｂとの間のＲ部２２ｄ，２４ｄに至っているので、露出部２０ａ３，２０ｂ３が、スリット２２ｃ，２４ｃに対して深く装着される。このため、正極集電端子２２および負極集電端子２４の基板部２２ａ，２４ａを電極体２０に近づけて配置することができる。このため、電池ケース３０の中で、正極集電端子２２と負極集電端子２４をコンパクトに配置できるので、電極体２０を大きくできる。特に、正極活物質層２０ａ２と負極活物質層２０ｂ２とが重なる面積を広くできる。このため、同体積の二次電池であれば、電池容量を大きくでき、またエネルギー密度の高密度化が図られる。
【００３９】
さらに、この実施形態では、集電板部２２ｂ，２４ｂの複数のスリット２２ｃ，２４ｃは、それぞれ基板部２２ａ，２４ａに至っている（図２参照）。このため、より小さい力で集電板部２２ｂ，２４ｂを変形させることができる。そして、スリット２２ｃ，２４ｃの内側面と露出部２０ａ３，２０ｂ３との隙間をより小さくできる。このため、レーザー溶接において、レーザー光が電極体２０の内側に漏れにくく、適切にレーザー溶接される。これによって、正極集電端子２２と正極シート２０ａの露出部２０ａ３との溶接品質、および、負極集電端子２４と負極シート２０ｂの露出部２０ｂ３との溶接品質を向上させることができる。
【００４０】
この実施形態では、図２に示すように、集電板部２２ｂ，２４ｂの複数のスリット２２ｃ，２４ｃは、それぞれ基板部２２ａ，２４ａに至っている形態を例示している。正極集電端子２２と負極集電端子２４は、かかる形態に限定されない。正極集電端子２２および負極集電端子２４は、それぞれ板状の基板部２２ａ，２４ａと集電板部２２ｂ，２４ｂとで構成されている。そして、基板部２２ａ，２４ａと集電板部２２ｂ，２４ｂとは、折れ曲っており、電極体２０の角部の直交する一辺に沿って配置されている。かかる形態において、電池反応に寄与する正極活物質層２０ａ２と負極活物質層２０ｂ２との有効面積を広く確保するとの観点では、スリット２２ｃ，２４ｃは、集電板部２２ｂ，２４ｂにある程度の深さ（幅）で形成されているとよい。これによって、電池ケース３０内の正極活物質層２０ａ２と負極活物質層２０ｂ２とが重なる面積を広くでき、電池容量を大きくできる。かかる観点において、スリット２２ｃ，２４ｃは、例えば、Ｒ部２２ｄ，２４ｄに至っていればよく、必ずしも基板部２２ａ，２４ａにまで至っている必要はない。
【００４１】
また、この実施形態では、スリット２２ｃ，２４ｃは、基板部２２ａ，２４ａにまで至っている（図２参照）。この場合、より小さい力で集電板部２２ｂ，２４ｂを変形させ、スリット２２ｃ，２４ｃの内側面を露出部２０ａ３，２０ｂ３に密着させることができる。これによって、レーザー溶接における、正極集電端子２２と正極シート２０ａの露出部２０ａ３との溶接品質、および、負極集電端子２４と負極シート２０ｂの露出部２０ｂ３との溶接品質を向上させることができる。また、集電板部２２ｂ，２４ｂを変形させる際に生じる基板部２２ａ，２４ａ側の撓みを小さく抑えることができる。なお、正極集電端子２２と正極シート２０ａの露出部２０ａ３との溶接、および、負極集電端子２４と負極シート２０ｂの露出部２０ｂ３との溶接は、それぞれレーザー溶接に限定されず、適当な溶接方法が採用されうる。
【００４２】
以上、ここで提案される二次電池および集電端子について、種々説明した。特に言及されない限りにおいて、ここで挙げられた二次電池および集電端子の実施形態などは、本発明を限定しない。
【符号の説明】
【００４３】
１０  二次電池
２０  電極体
２０ａ  正極シート
２０ａ１  正極集電箔
２０ａ２  正極活物質層
２０ａ３  露出部
２０ｂ  負極シート
２０ｂ１  負極集電箔
２０ｂ２  負極活物質層
２０ｂ３  露出部
２０ｃ  セパレータ
２２  正極集電端子
２２ａ  基板部（第１基板部）
２２ａ１  突起
２２ｂ  集電板部（第１集電板部）
２２ｂ１  集電板部の両側縁
２２ｃ  スリット
２２ｄ  Ｒ部
２３  外部端子
２４  負極集電端子
２４ａ  基板部（第２基板部）
２４ａ１  突起
２４ｂ  集電板部（第２集電板部）
２４ｂ１  集電板部の両側縁
２４ｃ  スリット
２４ｄ  Ｒ部
２５  外部端子
３０  電池ケース
３２  蓋
３４  ケース本体
【図１】
2018190547.tif 000003
【図２】
2018190547.tif 000004
【図３】
2018190547.tif 000005
【図４】
2018190547.tif 000006